(57)【要約】    【構成】  携帯電話機１０はＣＰＵ１２を含み、ＣＰＵ１２はＰＴＴ通話の記録を開始すると、発言者の音声に対応する音声データをフラッシュメモリ１８に記録する。また、ＣＰＵ１２は、音声データの記録とともに、発言者の識別情報、発言の開始時間および発言の終了時間をインデックスとしてフラッシュメモリ１８に記録する。全話者再生では、フラッシュメモリ１８に記録された音声データが先頭から再生され、このとき、インデックスに従って、再生中の発言者の識別情報がＬＣＤモニタ３０に表示される。また、選択話者再生では、インデックスに従って、利用者が選択した話者の音声データのみが再生され、このとき、再生中の発言者の識別情報がＬＣＤモニタ３０に表示される。    【効果】  複数の発言者が混在しても、誰が発言したかを容易に知ることができ、また、所望の発言者の発言のみを聞くことができる。【選択図】  図１
2010232751.tif 000002
【特許請求の範囲】
【請求項１】
１または複数の相手機器との間で半二重通信を行う電子機器であって、
前記相手機器との間でコンテンツを送受信する通信部、および
前記通信部によって前記コンテンツを前記相手機器に送信するとき、当該コンテンツと当該コンテンツの送信者に関する識別情報と送信時刻とを記憶部に記憶し、前記通信部によって前記コンテンツを前記相手機器から受信するとき、当該コンテンツと当該コンテンツの送信者に関する識別情報と受信時刻とを前記記憶部に記憶する情報記憶部を備える、電子機器。
【請求項２】
表示器、
前記記憶部に記憶されたコンテンツを再生するコンテンツ再生部、および
前記コンテンツ再生部によって前記コンテンツを再生するとき、少なくとも、当該コンテンツの送信者に関する識別情報を前記表示器に表示する識別情報表示部をさらに備える、請求項１記載の電子機器。
【請求項３】
前記コンテンツ再生部は、前記送信時刻および前記受信時刻の時刻順に従って前記記憶部に記憶されたコンテンツを再生する、請求項２記載の電子機器。
【請求項４】
前記コンテンツの送信者に関する識別情報を選択する識別情報選択部をさらに備え、
前記コンテンツ再生部は、前記識別情報選択部によって選択された前記コンテンツの送信者に関する識別情報とともに前記記憶部に記憶されたコンテンツを再生する、請求項２または３記載の電子機器。
【請求項５】
前記コンテンツの送信者に関する識別情報は、電話番号である、請求項１ないし４のいずれかに記載の電子機器。
【請求項６】
前記情報記憶部は、前記コンテンツとともに記憶される、前記コンテンツの送信者に関する識別情報および前記送信時刻または前記受信時刻を含むインデックスファイルとして前記記憶部に記憶する、請求項１ないし５のいずれかに記載の電子機器。
【請求項７】
前記情報記憶部は、前記コンテンツとともに記憶される、前記コンテンツの送信者に関する識別情報および前記送信時刻または前記受信時刻を、当該コンテンツのヘッダ情報として前記記憶部に記憶する、請求項１ないし５のいずれかに記載の電子機器。
【請求項８】
前記送信時刻および前記受信時刻は、前記コンテンツの記録開始からの絶対時間である、請求項１ないし７のいずれかに記載の電子機器。
【請求項９】
１または複数の相手機器との間で半二重通信を行う電子機器の情報処理プログラムであって、
前記電子機器のコンピュータに、
前記相手機器との間でコンテンツを送受信する通信ステップ、および
前記通信ステップによって前記コンテンツを前記相手機器に送信するとき、当該コンテンツと当該コンテンツの送信者に関する識別情報と送信時刻とを記憶部に記憶し、前記通信ステップによって前記コンテンツを前記相手機器から受信するとき、当該コンテンツと当該コンテンツの送信者に関する識別情報と受信時刻とを前記記憶部に記憶する情報記憶ステップを実行させる、情報処理プログラム。
【発明の詳細な説明】
【技術分野】
【０００１】
この発明は電子機器および情報処理プログラムに関し、特にたとえば、他の電子機器との間で通信を行う、電子機器および情報処理プログラムに関する。
【背景技術】
【０００２】
この種の電子機器の一例が特許文献１に開示されている。この特許文献１には、複数の通信端末と電子会議サーバとを接続して半二重通信によって電子会議を行う電子会議システムが開示されている。この電子会議システムを利用した電子会議においては、音声通話のみのコミュニケーションだけでなく、発言者に対する反応をアンケートによってリアルタイムに調査したり、関連情報のデータ転送をしたりする。この電子会議システムにおける通信端末では、受信または入力された文字、画像、音声、音および映像などの各種情報を記憶することができる。
【０００３】
また、この種の従来の電子機器の他の例が特許文献２に開示されている。この特許文献２のデジタル音声記録再生装置は、マイクロホンから入力した音声データをそのデータ内容を区別するべくインデックスマークを記録しつつ記録媒体へ音声記録する制御を行うとともに、該記録媒体に記録された音声データをファイル単位でランダムに再生させるべく制御を行う。
【先行技術文献】
【特許文献】
【０００４】
【特許文献１】特開２００７−４９４２４号［H04Q 7/38,H04M 3/56,H04L 12/18,G06F 13/00］
【特許文献２】特開平９−２５９５９５号［G11C 27/00,G10L 9/18]
【発明の概要】
【発明が解決しようとする課題】
【０００５】
しかし、特許文献１の通信端末では、半二重通信における音声を記憶することができるが、複数の話者の発言（音声）が時系列に従って録音（記憶）されるため、つまり複数の話者の音声が混在するため、録音の結果から発言者を特定するのが困難である。発言者が多い程、この問題は顕著である。
【０００６】
そこで、特許文献２のデジタル音声記録再生装置のように、インデックスマークを記録することも考えられるが、インデックスマークを記録するための操作が必要であるため、面倒である。また、そのような操作を忘れてしまった場合には、特許文献１と同様に、発言者の特定が困難である。
【０００７】
それゆえに、この発明の主たる目的は、新規な、電子機器および情報処理プログラムを提供することである。
【０００８】
また、この発明の他の目的は、記録された一連のコンテンツがいつ誰からのものかを容易に判別できる、電子機器および情報処理プログラムを提供することである。
【課題を解決するための手段】
【０００９】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【００１０】
第１の発明は、１または複数の相手機器との間で半二重通信を行う電子機器であって、相手機器との間でコンテンツを送受信する通信部、および通信部によってコンテンツを相手機器に送信するとき、当該コンテンツと当該コンテンツの送信者に関する識別情報と送信時刻とを記憶部に記憶し、通信部によってコンテンツを相手機器から受信するとき、当該コンテンツと当該コンテンツの送信者に関する識別情報と受信時刻とを記憶部に記憶する情報記憶部を備える、電子機器である。
【００１１】
第１の発明では、電子機器（１０）は、１または複数の相手機器（１０）との間で半二重通信を行う。通信部（１２，２８，Ｓ７，Ｓ１１）は、相手機器との間でコンテンツを送受信する。情報記憶部（１２，Ｓ１，Ｓ９，Ｓ１３，Ｓ２５）は、通信部によってコンテンツを相手機器に送信するとき、当該コンテンツと当該コンテンツの送信者に関する識別情報と送信時刻とを記憶部（１４，１８）に記憶する。また、情報記憶部は、通信部によってコンテンツを相手機器から受信するとき、当該コンテンツと当該コンテンツの送信者に関する識別情報と受信時刻とを記憶部に記憶する。
【００１２】
第１の発明によれば、コンテンツのみならず、コンテンツの送信者に関する識別情報およびその送信時刻または受信時刻を記録するので、一連のコンテンツについていつ誰からのものかを容易に知ることができる。
【００１３】
第２の発明は、第１の発明に従属し、表示器、記憶部に記憶されたコンテンツを再生するコンテンツ再生部、およびコンテンツ再生部によってコンテンツを再生するとき、少なくとも、当該コンテンツの送信者に関する識別情報を表示器に表示する識別情報表示部をさらに備える。
【００１４】
第２の発明では、電子機器は表示器（３０）を備える。コンテンツ再生部（１２，２６，３４，Ｓ５３，Ｓ１０９）は、記憶部に記憶されたコンテンツを再生する。このとき、識別情報表示部（１２，Ｓ６５，Ｓ１０７）は、少なくとも、そのコンテンツの送信者に関する識別情報を表示器に表示する。
【００１５】
第２の発明によれば、コンテンツを再生するときに、当該コンテンツの送信者に関する識別情報を表示器に表示するので、再生中のコンテンツが誰からのものかを容易に知ることができる。
【００１６】
第３の発明は、第２の発明に従属し、コンテンツ再生部は、送信時刻および受信時刻の時刻順に従って記憶部に記憶されたコンテンツを再生する。
【００１７】
第３の発明では、コンテンツ再生部は、送信時刻および受信時刻の時刻順に従って記憶部に記憶されたコンテンツを再生する。つまり、一連のコンテンツが時系列に従って再生される。
【００１８】
第３の発明によれば、一連のコンテンツが時系列に従って再生されるので、通信の流れを容易に知ることができる。
【００１９】
第４の発明は、第２または第３の発明に従属し、コンテンツの送信者に関する識別情報を選択する識別情報選択部をさらに備え、コンテンツ再生部は、識別情報選択部によって選択されたコンテンツの送信者に関する識別情報とともに記憶部に記憶されたコンテンツを再生する。
【００２０】
第４の発明では、識別情報選択部（１２，２０）は、コンテンツ送信者に関する識別情報を選択する。たとえば、利用者の操作に従って、コンテンツ送信者に関する１または複数の識別情報が選択される。コンテンツ再生部は、選択されたコンテンツの送信者に関する識別情報とともに記憶部に記憶されたコンテンツを再生する。
【００２１】
第４の発明によれば、選択された送信者に関する識別情報とともに記憶されたコンテンツを再生するので、特定の送信者からのコンテンツのみを再生することができる。
【００２２】
第５の発明は、第１ないし第４の発明に従属し、コンテンツの送信者に関する識別情報は、電話番号である。
【００２３】
第５の発明では、たとえば、電子機器は携帯電話機であり、コンテンツの送信者に関する情報は、その電話番号である。
【００２４】
第５の発明によれば、コンテンツの送信者に関する識別情報として電話番号を用いるので、その電話番号から直接的にまたはアドレス帳や電話帳により間接的に、誰からのコンテンツであるかを知ることができる。
【００２５】
第６の発明は、第１ないし第５の発明に従属し、情報記憶部は、コンテンツとともに記憶される、コンテンツの送信者に関する識別情報および送信時刻または受信時刻を含むインデックスファイルとして記憶部に記憶する。
【００２６】
第６の発明では、情報記憶部は、コンテンツの送信者に関する識別情報およびその送信時刻または受信時刻を含むインデックスファイル（５２）として記憶部に記憶する。
【００２７】
第６の発明によれば、インデックスファイルを参照することにより、上述したような再生処理を実現することができる。
【００２８】
第７の発明は、第１ないし第５の発明に従属し、情報記憶部は、コンテンツとともに記憶される、コンテンツの送信者に関する識別情報および送信時刻または受信時刻を、当該コンテンツのヘッダ情報として記憶部に記憶する。
【００２９】
第７の発明では、情報記憶部は、コンテンツの送信者に関する識別情報およびその送信時刻または受信時刻を、当該コンテンツのヘッダ情報として記憶部に記憶する。
【００３０】
第７の発明によれば、コンテンツのヘッダ情報を参照することにより、上述したような再生処理を実現することができる。
【００３１】
第８の発明は、第１ないし第７の発明に従属し、送信時刻および受信時刻は、コンテンツの記録開始からの絶対時間である。
【００３２】
第８の発明では、送信時刻および受信時刻は、コンテンツの記録開始からの絶対時間である。
【００３３】
第８の発明によれば、送信時刻および受信時刻は、コンテンツの記録開始からの絶対時間であるため、コンテンツの再生と、その送信時刻または受信時刻との同期を容易に取ることができる。
【００３４】
第９の発明は、１または複数の相手機器との間で半二重通信を行う電子機器の情報処理プログラムであって、電子機器のコンピュータに、相手機器との間でコンテンツを送受信する通信ステップ、および通信ステップによってコンテンツを相手機器に送信するとき、当該コンテンツと当該コンテンツの送信者に関する識別情報と送信時刻とを記憶部に記憶し、通信ステップによってコンテンツを相手機器から受信するとき、当該コンテンツと当該コンテンツの送信者に関する識別情報と受信時刻とを記憶部に記憶する情報記憶ステップを実行させる、情報処理プログラムである。
【００３５】
第９の発明においても、第１の発明と同様に、記録された一連のコンテンツがいつ誰からのものであるかを容易に判別することができる。
【発明の効果】
【００３６】
この発明によれば、コンテンツを送受信する場合に、当該コンテンツの送信者に関する識別情報と、当該コンテンツの送信時刻または受信時刻とを記録するため、記録された一連のコンテンツがいつ誰からのものであるかを容易に判別することができる。
【００３７】
この発明の上述の目的，その他の目的，特徴および利点は、図面を参照して行う以下の実施例の詳細な説明から一層明らかとなろう。
【図面の簡単な説明】
【００３８】
【図１】図１はこの発明の一実施例の携帯電話機の電気的な構成を示すブロック図である。
【図２】図２は図１に示す携帯電話機の外観を示す図解図である。
【図３】図３は図１に示す携帯電話機を用いたＰＴＴ通話システムの一例を示す図解図である。
【図４】図４は図１に示すフラッシュメモリに記憶される音声ファイルおよびインデックスファイルの一例を示す図解図である。
【図５】図５は図１に示すＬＣＤモニタに表示される画面の例を示す図解図である。
【図６】図６は図１に示すＲＡＭのメモリマップの一例を示す図解図である。
【図７】図７は図１に示すＣＰＵのＰＴＴ通話の記録処理の一部を示すフロー図である。
【図８】図８は図１に示すＣＰＵのＰＴＴ通話の記録処理の他の一部を示すフロー図である。
【図９】図９は図１に示すＣＰＵの全話者再生処理を示すフロー図である。
【図１０】図１０は図１に示すＣＰＵの選択話者再生処理の一部を示すフロー図である。
【図１１】図１１は図１に示すＣＰＵの選択話者再生処理の他の一部を示すフロー図である。
【発明を実施するための形態】
【００３９】
図１を参照して、この実施例の電子機器としての携帯電話機１０は、ＣＰＵ１２を含む。このＣＰＵ１２には、バスを介して、ＲＡＭ１４、ＲＯＭ１６、フラッシュメモリ１８、キー入力装置２０、ＬＣＤドライバ２２、Ａ／Ｄ変換器２４、Ｄ／Ａ変換器２６、無線通信回路２８および時計回路３８が接続される。また、ＬＣＤドライバ２２には、ＬＣＤモニタ３０が接続される。Ａ／Ｄ変換器２４にはマイク３２が接続され、Ｄ／Ａ変換器２６にはアンプ（図示せず）を介してスピーカ３４が接続される。そして、無線通信回路２８には、アンテナ３６が接続される。
【００４０】
ＣＰＵ１２は、携帯電話機１０の全体制御を司る。ＲＡＭ１４は、ＣＰＵ１２の作業領域ないしバッファ領域として用いられる。ＲＯＭ１６は、たとえばＥＥＰＲＯＭのような電気的に書き換え可能なメモリであり、ＣＰＵ１２によって実行される各種のプログラムやこれらのプログラムで利用される種々のデータを記憶する。フラッシュメモリ１８は、携帯電話機１０の所有者のプロフィール、アドレス帳およびスケジュール帳などのデータの他に、文字、画像、音声、音および映像のようなコンテンツのデータなどを記録する。
【００４１】
キー入力装置２０は、「０」〜「９」キー、「*」キーおよび「＃」キーを含むダイヤルキー２０ａ（図２参照）などの複数のキーを備えており、利用者が操作したキーの情報（キーデータ）がＣＰＵ１２に入力される。ＬＣＤドライバ２２は、ＣＰＵ１２の指示の下、当該ＬＣＤドライバ２２に接続されたＬＣＤモニタ３０の表示を制御する。
【００４２】
Ａ／Ｄ変換器２４は、当該Ａ／Ｄ変換器２４に接続されたマイク３２を通して入力される音声ないし音についてのアナログ音声信号を、デジタル音声信号に変換する。Ｄ／Ａ変換器２６は、フラッシュメモリ１８から読み出されたデジタル音声信号をアナログ音声信号に変換（復号）して、アンプを介してスピーカ３４に与える。したがって、アナログ音声信号に対応する音声ないし音がスピーカ３４から出力される。
【００４３】
無線通信回路２８は、たとえばＣＤＭＡ(Code Division Multiple Access：符号分割多重接続)方式での無線通信を行うための回路である。たとえば、利用者がキー入力装置２０を用いて発呼を指示すると、無線通信回路２８は、ＣＰＵ１２の指示の下、発呼操作を実行し、アンテナ３６を介して発呼信号を出力する。発呼信号は、基地局および通信網（図３参照）を経て相手の電話機に送信される。そして、相手の電話機において着呼操作が行われると、接続状態（通信可能状態）が確立され、ＣＰＵ１２は通話処理（以下、説明の便宜上、「通常の通話処理」ということにする）を実行する。
【００４４】
通常の通話処理について具体的に説明すると、相手の電話機から送られてきた変調音声信号（高周波信号）が、アンテナ３６によって受信される。受信された変調音声信号には、無線通信回路２８によって復調処理および復号処理が施される。これらの処理によって得られた受話音声信号は、Ｄ／Ａ変換器２６によってアナログ音声信号に変換された後、スピーカ３４から出力される。一方、マイク３２を通して取り込まれた送話音声信号は、Ａ／Ｄ変換器２４によってデジタル音声信号に変換された後、ＣＰＵ１２に与えられる。デジタル音声信号に変換された送話信号には、ＣＰＵ１２の指示の下、無線通信回路２８によって符号化処理および変調処理が施され、アンテナ３６を介して出力される。したがって、変調音声信号は、基地局および通信網を介して相手の電話機に送信される。
【００４５】
また、相手の電話機からの発呼信号がアンテナ３６によって受信されると、無線通信回路２８は、着信（着呼）をＣＰＵ１２に通知する。これに応じて、ＣＰＵ１２は、ＬＣＤドライバ２２を制御して、着信通知に記述された発信元情報（電話番号または発信者名或いはその両方）をＬＣＤモニタ３０に表示する。また、これと同時またはほぼ同時に、ＣＰＵ１２は、着信通知用のスピーカ（図示せず）から着信音（または、着信メロディ、着信音声）を出力する。利用者が、キー入力装置２０を用いて着呼を指示すると、無線通信回路２８は、ＣＰＵ１２の指示の下、着呼操作を実行し、接続状態（通信可能状態）が確立され、ＣＰＵ１２は上述した通常の通話処理を実行する。
【００４６】
さらに、ＣＰＵ１２は、ＲＴＣのような時計回路３８から少なくとも現在時刻を取得する。たとえば、ＣＰＵ１２は、上述したように、ＬＣＤドライバ２２を制御して、ＬＣＤモニタ３０に現在時刻を表示（時計表示）する。
【００４７】
図２は、図１に示した携帯電話機１０の外観図である。この図２を参照して、携帯電話機１０は板状に形成されたケース（筐体）４０を有している。ケース４０には、上述したＬＣＤモニタ３０がその表示面を露出するように設置される。図２からも分かるように、ＬＣＤモニタ３０の表示面は、ケース４０の上側のほぼ半分を占める大きさを有している。また、ＬＣＤモニタ３０の下方には、キー入力装置２０が各キーの押圧部（操作部）をケース４０から露出するように配置される。この実施例では、キー入力装置２０は、ダイヤルキー２０ａ、発話キー２０ｂ、終話キー２０ｃ、クリア／メモキー２０ｄ、センターキー２０ｅ、上方向キー２０ｆ、左方向キー２０ｇ、下方向キー２０ｈおよび右方向キー２０ｉによって構成される。
【００４８】
なお、各キー２０ａ−２０ｉの配置やデザインは、図２に示す内容に限定される必要はなく、任意に設定可能である。また、キーの数は携帯電話機２０の機能に応じて適宜増減させてよい。
【００４９】
また、図２に示すように、ケース４０には、その上端部において一部が突出するように、上述したアンテナ３６が設けられる。さらに、図２に示すように、ケース４０には、その上下端部であり、ＬＣＤモニタ３０の表示面およびキー入力装置２０の押圧部が設けられる側の面に、孔４２ａおよび孔４２ｂが設けられる。図示は省略するが、孔４２ａが設けられる位置に対応して、ケース４０の内部に上述したスピーカ３４が設けられる。また、図示は省略するが、孔４２ｂが設けられる位置に対応して、ケース４０の内部に上述したマイク３２が設けられる。したがって、利用者は、スピーカ３４から出力される音声（音）を聞くことができ、マイク３２に自身の発言（発話）を入力することができる。
【００５０】
このような携帯電話機１０を用いたＰＴＴ(Push-To-Talk)通信システム（以下、単に「システム」という）１００の一例が図３に示される。図３に示すように、システム１００は、ＰＴＴサーバ１０２を含み、このＰＴＴサーバ１０２は、ＰＴＴ通話を要求してきた携帯電話機１０とそのＰＴＴ通話の相手となる携帯電話機１０とを管理する機能や複数の携帯電話機１０間のＰＴＴ通話を仲介する機能を有する。ＰＴＴサーバ１０２は携帯電話網（ネットワーク）１０４を介して複数の無線基地局１０６に接続される。また、システム１００は、複数の携帯電話機１０を含み、各携帯電話機１０は、携帯電話網１０４および無線基地局１０６を介して他の携帯電話機１０との間で通信（ＰＴＴ通話の処理）を行う。
【００５１】
或る携帯電話機１０からＰＴＴサーバ１０２にＰＴＴ通話の要求があると、ＰＴＴサーバ１０２は、まず、ＰＴＴ通話のための仲介処理を行う。ただし、ＰＴＴ通話の要求は、ＰＴＴ通話であること、希望するＰＴＴ通話の相手すなわち他の携帯電話機１０の識別情報を含む。この実施例では、識別情報は、携帯電話機１０の電話番号である。ただし、電話番号に代えて、電話番号に相当する情報（電話番号以外の携帯電話機１０を特定するための情報）であってもよい。
【００５２】
ＰＴＴサーバ１０２は、ＰＴＴ通話の要求を受けると、ＰＴＴ通話のための呼び出し（ＰＴＴコール）を他の（相手の）携帯電話機１０に対して行う。これに応答して、他の携帯電話機１０から参加の通知がＰＴＴサーバ１０２にあると、ＰＴＴ通話の要求があった携帯電話機１０と参加の通知があった携帯電話機１０とを今回ＰＴＴ通話を行うグループとして設定する。つまり、ＰＴＴサーバ１０２は、ＰＴＴ通話を行う複数の携帯電話機１０をグループ化して、グループデータベース（グループＤＢ）１０２ａに登録する。そして、ＰＴＴサーバ１０２は、ＰＴＴ通話の要求があった携帯電話機１０および参加の通知があった携帯電話機１０のそれぞれと接続状態を確立する。これ以降では、ＰＴＴサーバ１０２は、グループ化された携帯電話機１０のみを対象としてＰＴＴ通話の処理を行う。
【００５３】
なお、詳細な説明は省略するが、ＰＴＴ通話が終了すると、グループＤＢ１０２ａに登録したグループは消去される。
【００５４】
たとえば、ＰＴＴ通話を行うグループのうちの或る携帯電話機１０において、ＰＴＴボタン（この実施例では、発話キー２０ｂ）を押下等することにより発言要求が発せられると、これを受けて、ＰＴＴサーバ１０２は、他に発言中の携帯電話機１０が無ければ、当該或る携帯電話機１０に発言権を付する。発言権を得ると、或る携帯電話機１０の利用者（発言者）の音声データは、当該携帯電話機１０のＣＰＵ１２によってパケットデータ化され、パケットデータ化された音声データ（音声パケット）は無線通信回路２８およびアンテナ３６を介して出力される。携帯電話機１０から出力された音声パケットは、無線基地局１０６および携帯電話網１０４を介してＰＴＴサーバ１０２に送信される。ただし、音声パケットには、発信者（発言者の携帯電話機１０）の識別情報などがヘッダとして付加される。ＰＴＴサーバ１０２は、音声パケットを受信すると、グループＤＢ１０２ａを参照して、携帯電話網１０４および無線基地局１０６を介して、グループとして登録されている他の携帯電話機１０のすべてに音声パケットを送信する。各携帯電話機１０では、ＰＴＴサーバ１０２からの音声パケットをアンテナ３６および無線通信回路２８を通して受信すると、ＣＰＵ１２によって、パケット化されたデータが元の音声データに戻される。そして、音声データはＤ／Ａ変換器２６によってアナログ音声信号に変換され、アナログ音声信号に対応する音声がスピーカ３４から出力される。
【００５５】
ただし、ＰＴＴサーバ１０２は、携帯電話機１０から発言要求があったときに、発言中の他の携帯電話機１０が有る場合には、発言要求のあった携帯電話機１０に対して拒否の応答を返す。また、ＰＴＴサーバ１０２は、複数の携帯電話機１０からの発言要求が重なった場合には、所定のルールに従って各携帯電話機１０に優先順位を決定し、これに基づいて順番に発言権を付与する。たとえば、所定のルールとしては、発言回数の少ない順に優先順位を高くしたり、発言要求に対して拒否された回数の多い順に優先順位を高くしたりすることが該当する。
【００５６】
また、携帯電話機１０では、通話音声メモの機能を使用することにより、上記のＰＴＴ通話における音声を記録することができる。たとえば、ＰＴＴ通話中に、利用者がキー入力装置２０のクリア／メモキー２０ｄを押すと、ＰＴＴ通話の記録処理が開始される。したがって、発言者の音声が録音される。
【００５７】
通常、ＰＴＴ通話の音声を記録する場合には、複数の発言者の発言（発話）が時系列に従って記録される。したがって、記録した内容を再生すると、時系列に従って複数の発言者の発言が順次再生される。
【００５８】
しかし、複数の発言者の発言（音声）が混在するため、発言者を特定するのが困難である。発言者（ＰＴＴ通話の参加者）が多くなる程、この問題は顕著である。また、特定の発言者の発言のみを聞きたい場合であっても、全部の発言を聞く必要があり、無駄な時間を要するだけでなく、面倒である。
【００５９】
そこで、この実施例では、ＰＴＴ通話における発言を記録（録音）する場合には、その発言に対応する音声データとともに、発言者の識別情報、発言の開始時刻および発言の終了時刻を記憶するようにしてある。
【００６０】
具体的には、図４（Ａ）に示す音声ファイル５０とともに、図４（Ｂ）に示すようなインデックスファイル５２がフラッシュメモリ１８に記憶される。音声ファイル５０は、ＰＴＴ通話の発言に対応する音声データが時系列に従って記録されたデータファイルである。たとえば、音声データはＡＡＣ(Advanced Audio Coding)形式で記録される。携帯電話機１０に入力される音声を記録する場合には、マイク３２を通して入力されるアナログ音声信号がＡ／Ｄ変換器２４によってデジタル音声信号に変換される。そして、このデジタル音声信号がＣＰＵ１２によってＡＡＣ形式に変換され、フラッシュメモリ１８に記録される。
【００６１】
一方、ＰＴＴサーバ１０２から送信された音声パケットは、アンテナ３６および無線通信回路２８を通して受信され、ＣＰＵ１２に与えられる。受信された音声パケットは、ＣＰＵ１２によって、元の音声データに戻された後、ＡＡＣ形式に変換され、フラッシュメモリ１８に記憶される。
【００６２】
なお、ＰＴＴ通話中であるため、音声データの記録処理と同時に、上述したＰＴＴ通話の処理も実行される。
【００６３】
インデックスファイル５２は、音声データに対応する発言の送信時刻または受信時刻となる開始時刻と終了時刻、および発言者についての識別情報または発言の終了情報を記録したテーブルのデータファイルである。
【００６４】
発言の開始時刻および終了時刻としては、ＰＴＴ通話の開始からの絶対時間が記録される。ただし、携帯電話機１０（以下、「自機」ということがある）の利用者の発言を送信する場合には、発言の開始時刻は、ＰＴＴボタン（発話キー２０ｂ）が押されたときの絶対時間であり、発言の終了時刻は、ＰＴＴボタンが離されたときの絶対時間である。一方、他の携帯電話機１０（以下、「他機」ということがある）の利用者の発言を受信する場合には、発言の開始時刻は、音声パケットの受信を開始したときの絶対時間であり、発言の終了時刻は、音声パケットを元に戻した音声データに対応する音声の出力をすべて終了したときの絶対時間である。
【００６５】
また、識別情報としては、発言者が所有する携帯電話機１０の電話番号が記録される。ただし、図４（Ｂ）では、簡単のため、識別情報（電話番号）を４文字のアルファベットで示してある。ただし、自機の識別情報はＲＯＭ１６に記載され、他機の識別情報については、ＰＴＴサーバ１０２から送信される音声パケットのヘッダに記載される。終了情報としては、発言が終了したことを示す内容（この実施例では、「ＥＮＤ」）が記録される。
【００６６】
したがって、たとえば、インデックスファイル５２の１行目すなわちインデックス番号（１）を参照すると、発言の開始時刻が００分０５秒（００：０５）であり、発言者は電話番号“ＢＢＢＢ”で示される携帯電話機１０の利用者であることが分かる。また、インデックスファイル５２の２行目すなわちインデックス番号（２）を参照すると、電話番号“ＢＢＢＢ”で示される携帯電話機１０の利用者の発言の終了時刻が００分２５秒（００：２５）であることが分かる。
【００６７】
詳細な説明は省略するが、他の番号（３），（４），…，（Ｎ）についても同様である。
【００６８】
なお、図４においては、音声ファイル５０の先頭から時系列に従って音声データが記憶され、たとえば、図４（Ａ）の（１）で示す音声データに対応して、図４（Ｂ）のインデックス番号（１），（２）で示すインデックスが記載され、図４（Ａ）の（２）で示す音声データに対応して、図４（Ｂ）のインデックス番号（３），（４）で示すインデックスが記載される。
【００６９】
このように、音声ファイル５０のみならず、これに対応するインデックスファイル５２を記録（作成）するため、記録した発言（音声）のすべてを再生するのみならず、選択した発言者の音声のみを再生することも可能である。また、再生時に、再生中の発言の発言者の識別情報を報知することにより、発言者を容易に知ることができる。
【００７０】
たとえば、図示しないメニュー選択画面において、通話音声メモの再生が選択されると、図５（Ａ）に示すような再生モード選択画面６０がＬＣＤモニタ３０に表示される。この再生モード選択画面６０には、２つの再生メニュー（全話者再生，選択話者再生）が選択可能に表示される。ただし、図５（Ａ）（図５（Ｂ）も同じ）では、分かり易くするために、塗りつぶした四角枠でカーソルを示してある。
【００７１】
利用者は、上方向キー２０ｆまたは下方向キー２０ｈを操作して、カーソルを上下に移動させ、所望のメニューにカーソルを合わせる。そして、利用者は、センターキー２０ｅを操作することにより、所望のメニューを選択（決定）する。ここで、「全話者再生」が選択されると、フラッシュメモリ１８に記録されている音声ファイル５０の音声データがその先頭から再生される。
【００７２】
また、再生モード選択画面６０で「選択話者再生」が選択されると、図５（Ｂ）に示すように、話者選択画面６２がＬＣＤモニタ３０に表示される。ここでは、１または複数の話者（発言者）を選択することができる。詳細な説明は省略するが、たとえば、話者選択画面６２には、自機の利用者、ＰＴＴ通話の相手として登録された他機の利用者の電話番号が表示される。ただし、図５（Ｂ）からも分かるように、携帯電話機１０において、名称（名前、愛称など）がプロフィールに登録されている自機の利用者や電話番号に対応して名称がアドレス帳や電話帳に登録されている他機の利用者については、その名称が表示される。
【００７３】
なお、今回のＰＴＴ通話のグループに属していない利用者については、話者選択画面６２に表示しないようにしてよく、または、グレーアウトして、選択不能にしてもよい。
【００７４】
図６は図１に示したＲＡＭ１４のメモリマップ７０である。図６に示すように、ＲＡＭ１４はプログラム記憶領域７２およびデータ記憶領域７４を含む。プログラム記憶領域７２は、情報処理プログラムを記憶し、この情報処理プログラムは、通信プログラム７２ａ、記録プログラム７２ｂ、インデックス作成プログラム７２ｃおよび再生プログラム７２ｄなどによって構成される。
【００７５】
通信プログラム７２ａは、この実施例では、上述したような通常の通話処理およびＰＴＴ通話の処理を行うためのプログラムである。記録プログラム７２ｂは、ＰＴＴ通話における音声の音声データを記録し、図４（Ａ）に示したような音声ファイル５０をフラッシュメモリ１８に作成するためのプログラムである。詳細な説明は省略するが、この実施例では、音声データとともに時間情報が記憶される。ここで、時間情報は、ＰＴＴ通話の録音開始からの絶対時間の情報である。絶対時間は、時計回路３８から得られる現在時刻から求められる。たとえば、記録開始時の現在時刻（記録開始時刻）を記録しておき、音声データの記録時の現在時刻との差分から絶対時間を求めることができる。ただし、音声データとともに時間情報を記憶するのは一例であり、音声データの記録フォーマットは、使用する再生デコーダ（再生プログラム７２ｄ）に応じて決定される。
【００７６】
なお、この実施例では、現在時刻を携帯電話機１０に内蔵されている時計回路３８から取得するようにしてあるが、ＰＴＴ通話中では、携帯電話機１０は携帯電話網１０４に接続しているため、携帯電話網１０４（通信網）から現在時刻を取得するようにしてもよい。
【００７７】
インデックス作成プログラム７２ｃは、記録プログラム７２ｂに従って音声データが記録されている場合に、図４（Ｂ）に示したようなインデックスファイル５２をフラッシュメモリ１８に作成するためのプログラムである。再生プログラム７２ｄは、音声ファイルの音声データの全部または選択された一部を再生するためのプログラムである。この実施例では、音声ファイルの先頭または指定した開始時刻から音声データが再生されるとともに、その再生時間（絶対時間）が出力される。
【００７８】
なお、再生プログラム７２ｄが、音声データのデータ量から絶対時間を算出する場合には、音声データの記録時には、時間情報に代えて、音声データが記録されている音声ファイル５０のアドレス（開始アドレスまたは終了アドレス）を管理するための管理情報を記憶しておけばよい。このようにすれば、再生時に、再生開始時刻（絶対時間）が指定されると、データ量から再生時間が算出され、指定された絶対時間から音声データの再生が開始されるとともに、時間情報（絶対時間）が出力される。
【００７９】
図示は省略するが、情報処理プログラムは、他の機能についてのプログラムも含む。たとえば、辞書機能、時計／カレンダ機能、電卓機能、ボイスレコーダとしての機能などを実行するためのプログラムが該当する。また、上述したような各種の画面（６０，６２）を生成したり、生成した画面をＬＣＤモニタ３０に表示したりするプログラムも記憶される。さらに、着信音などの携帯電話機３０として必要な音（音楽）を出力するためのプログラムも記憶される。
【００８０】
データ記憶領域７４には、音声データバッファ７４ａが設けられる。また、データ記憶領域７４には、選択話者データ７４ｂが記憶される。
【００８１】
音声データバッファ７４ａは、発言に対応する音声データを一時記憶するための領域であり、フラッシュメモリ１８に音声データが記録された後に、消去される。ただし、発言は、自機または他機の利用者の音声である。選択話者データ７４ｂは、選択話者再生を実行する場合に、選択された発言者の識別情報についてのデータである。
【００８２】
図示は省略するが、データ記憶領域７４には、上述した画面（６０，６２）を生成するための画像データや音データなども記憶されており、また、情報処理プログラムの実行に必要なカウンタ（タイマ）やフラグなども設けられている。
【００８３】
図７および図８は、図１に示したＣＰＵ１２のＰＴＴ通話の記録処理のフロー図である。ＰＴＴ通話中に、クリア／メモキー２０ｄが押されると、図７に示すように、ＣＰＵ１２は、ＰＴＴ通話の記録処理を開始し、ステップＳ１で、録音を開始する。つまり、ＰＴＴ通話における発言（発話または受話）についての音声データおよび絶対時間についての時間情報の記録を開始する。次のステップＳ３では、変数ｉを初期化（ここでは、ｉ＝１）する。この変数ｉは、インデックスの番号（行数）を識別するための変数である。以下、同じ。
【００８４】
次のステップＳ５では、インデックスの記録（作成）を開始する。ここでは、インデックスの最初の行（ｉ＝１）の記録が開始される。そして、ステップＳ７では、受話かどうかを判断する。具体的には、ＣＰＵ１２は、相手（他機）の携帯電話機１０からの音声パケットの受信を開始したかどうかを判断する。ステップＳ７で“ＹＥＳ”であれば、つまり受話であれば、ステップＳ９で、その相手の識別情報およびその相手の発言の開始時刻を、インデックスのｉ行目に記録して、図８に示すステップＳ２１に進む。ただし、相手の識別情報は、音声パケットのヘッダに記録されている。また、開始時刻は、時計回路３８から取得した現在時刻の時刻データを、録音開始からの絶対時間のデータに変換して記録される。以下、同様である。たとえば、ＣＰＵ１２は、記録開始時刻を記憶しておき、記録開始時刻と受信開始時の現在時刻との差を絶対時間として記憶する。
【００８５】
また、ステップＳ７で“ＮＯ”であれば、つまり受話でなければ、ステップＳ１１で、発話かどうかを判断する。具体的には、ＣＰＵ１２は、自機で発話キー２０ｂがオンされた（発言が送信開始された）かどうかを判断する。ステップＳ１１で“ＹＥＳ”であれば、つまり発話であれば、ステップＳ１３で、自機の識別情報および自機の使用者の発言の開始時刻を、インデックスのｉ行目に記録して、ステップＳ２１に進む。ただし、自機の識別情報は、ＲＯＭ１６に記録されている。また、たとえば、ＣＰＵ１２は、記録開始時刻と送信開始時の現在時刻との差を絶対時間として記憶する。
【００８６】
しかし、ステップＳ１１で“ＮＯ”であれば、つまり発話でなければ、ステップＳ１５で、ＰＴＴ通話の終了かどうかを判断する。つまり、ＣＰＵ１２は、自機の終話キー２０ｃが押されたかどうかを判断する。ステップＳ１５で“ＮＯ”であれば、つまりＰＴＴ通話の終了でなければ、そのままステップＳ７に戻る。一方、ステップＳ１５で“ＹＥＳ”であれば、つまりＰＴＴ通話の終了であれば、ステップＳ１７で、録音を終了し、ステップＳ１９で、インデックスの記録を終了して、ＰＴＴ通話の記録処理を終了する。
【００８７】
図８に示すように、ステップＳ２１では、変数ｉを１加算する（ｉ＝ｉ＋１）。つまり、次の行のインデックスの記録が開始される。そして、ステップＳ２３で、発言が終了したかどうかを判断する。つまり、ＣＰＵ１２は、自機の発話キー２０ｂが離されたり、受信した音声パケットから戻した音声データに対応するアナログ音声信号の出力を終了したりしたか否かを判断する。
【００８８】
ステップＳ２３で“ＮＯ”であれば、つまり発言が終了していなければ、そのまま同じステップＳ２３に戻る。一方、ステップＳ２３で“ＹＥＳ”であれば、つまり発言が終了すれば、ステップＳ２５で、終了時刻および終了情報“ＥＮＤを、インデックスに記録する。そして、ステップＳ２７で、変数ｉに１加算して、図７に示したステップＳ７に戻る。ただし、ステップＳ２３では、ＣＰＵ１２は、時計回路３８から現在時刻データを取得し、録音開始からの絶対時間を求めて、求めた絶対時間を終了時刻としてインデックスのｉ行目に記録する。
【００８９】
次に記録したＰＴＴ通話を再生する場合について説明するが、上述したように、全話者再生と選択話者再生とを選択することができ、それぞれ再生処理が異なるため、個別に説明することにする。ただし、図９が、全話者再生処理を示すフロー図であり、図１０および図１１が、選択話者再生処理を示すフロー図である。
【００９０】
図９に示すように、ＣＰＵ１２は、全話者選択処理を開始すると、ステップＳ５１で、インデックスの読み込みを行う。ここでは、ＣＰＵ１２は、フラッシュメモリ１８に記憶されたインデックスファイル５２をＲＡＭ１４の空き領域にロードする。次のステップＳ５３では、再生を開始する。ここでは、ＣＰＵ１２は、フラッシュメモリ１８に記憶された音声ファイル５０の先頭から音声データの読み出しを開始し、読み出した音声データをＤ／Ａ変換器２６に与える。Ｄ／Ａ変換器２６は、音声データをアナログの音声信号に変換し、その後、スピーカ３４を通して出力する。また、ＣＰＵ１２は、音声データの先頭からの絶対時間（再生時間）を、音声データに付された時間情報から取得する。以下、音声データの再生処理が実行される場合において同様である。
【００９１】
なお、詳細な説明は省略するが、再生時に取得される絶対時間（再生時間）をＬＣＤモニタ３０に表示するようにしてもよい。
【００９２】
次のステップＳ５５では、変数ｉを初期化（ｉ＝１）し、ステップＳ５７で、読み込んだインデックスのｉ行目を参照する。初回では、インデックスの１行目（先頭）が参照される。続くステップＳ５９では、再生終了かどうかを判断する。ここでは、ＣＰＵ１２は、利用者からの再生終了の指示があるか、すべての音声データの再生を終了した（変数ｉが示す行数がインデックスの全行数を超えている）かどうかを判断する。
【００９３】
ステップＳ５９で“ＹＥＳ”であれば、つまり再生終了であれば、ステップＳ６１で、再生終了処理を実行して、つまりフラッシュメモリ１８の音声ファイル５０からの音声データの読み出しを終了して、全話者再生を終了する。一方、ステップＳ５９で“ＮＯ”であれば、つまり再生終了でなければ、ステップＳ６３で、インデックスのｉ行目に識別情報が記載されているかどうかを判断する。
【００９４】
ステップＳ６３で“ＮＯ”であれば、つまりインデックスのｉ行目に“ＥＮＤ”が記載されている場合には、そのままステップＳ７５に進む。一方、ステップＳ６３で“ＹＥＳ”であれば、つまりインデックスのｉ行目に識別情報が記載されている場合には、ステップＳ６５で、発言者の識別情報（電話番号）をＬＣＤモニタ３０に表示する。ただし、携帯電話機１０の内部に記憶されているアドレス帳に、発言者の電話番号に対応して名称が登録されている場合には、その名称がＬＣＤモニタ３０に表示される。つまり、電話番号に対応する名称がアドレス帳に登録されていない場合には、そのまま識別情報（電話番号）がＬＣＤモニタ３０に表示されるのである。
【００９５】
次のステップＳ６７では、変数ｉを１加算し、ステップＳ６９で、インデックスのｉ行目を参照する。そして、ステップＳ７１で、終了時刻かどうかを判断する。ここでは、時間情報から得られる再生時間（絶対時間）がインデックスのｉ行目に記載された終了時刻と一致するかどうかを判断する。つまり、インデックスのｉ−１行目に記載された識別情報が示す発言者の発言の再生が終了したかどうかを判断しているのである。ステップＳ７１で“ＮＯ”であれば、つまり終了時刻でなければ、そのまま同じステップＳ７１に戻る。一方、ステップＳ７１で“ＹＥＳ”であれば、つまり終了時刻であれば、ステップＳ７３で、発言者の識別情報をＬＣＤモニタ３０から消去し、ステップＳ７５で、変数ｉを１加算して、ステップＳ５７に戻る。
【００９６】
また、選択話者再生が選択され、話者（発言者）が選択されると、ＣＰＵ１２は、図１０に示すように、選択話者再生処理を開始する。以下、選択話者再生処理について説明するが、全話者再生処理と同じ処理については簡単に説明することにする。
【００９７】
まず、ＣＰＵ１２は、ステップＳ９１で、インデックスを読み込む。次のステップＳ９３で、変数ｉを初期化し、ステップＳ９５で、インデックスのｉ行目を参照する。次のステップＳ９７では、再生終了かどうかを判断する。ステップＳ９７で“ＹＥＳ”であれば、ステップＳ９９で、再生終了処理を実行し、選択話者再生処理を終了する。一方、ステップＳ９７で“ＮＯ”であれば、つまり再生終了でなければ、ステップＳ１０１で、インデックスのｉ行目に識別情報が記載されているかどうかを判断する。
【００９８】
ステップＳ１０１で“ＮＯ”であれば、そのままステップＳ１０５に進む。一方、ステップＳ１０１で“ＹＥＳ”であれば、ステップＳ１０３で、選択した発言者かどうかを判断する。ここでは、ＣＰＵ１２は、インデックスのｉ行目に記載されている識別情報が、選択話者データ７４ｂが示す１または複数の識別情報に含まれているかどうかを判断するのである。
【００９９】
ステップＳ１０３で“ＮＯ”であれば、つまり選択した発言者でなければ、ステップＳ１０５で、変数ｉを１加算して、ステップＳ９５に戻る。一方、ステップＳ１０３で“ＹＥＳ”であれば、つまり選択した発言者であれば、ステップＳ１０７で、発言者の識別情報をＬＣＤモニタ３０に表示して、図１１に示すステップＳ１０９で、インデックスのｉ行目に記載された開始時刻から再生を開始する。つまり、ＣＰＵ１２は、音声ファイル５０をサーチし、音声データに付加された時間情報が示す絶対時間がインデックスのｉ行目に記載された開始時刻と一致する箇所（再生位置）から音声データの再生を開始する。
【０１００】
次のステップＳ１１１では、変数ｉを１加算し、ステップＳ１１３で、インデックスのｉ行目を参照する。続いて、ステップＳ１１５で、終了時刻かどうかを判断する。ステップＳ１１５で“ＮＯ”であれば、同じステップＳ１１５に戻る。一方、ステップＳ１１５で“ＹＥＳ”であれば、ステップＳ１１７で、再生を停止する。つまり、ＣＰＵ１２は、フラッシュメモリ１８の音声ファイル５０からの音声データの読み出しを停止する。そして、ステップＳ１１９で、発言者の識別情報をＬＣＤモニタ３０から消去し、ステップＳ１２１で、変数ｉを１加算して、図１０に示したステップＳ９５に戻る。
【０１０１】
この実施例によれば、ＰＴＴ通話の音声を記録するだけでなく、発言者に関する識別情報および発言の開始時刻または終了時刻を記録するので、ＰＴＴ通話における一連の音声について、いつ誰が発言したかを容易に判別することができる。また、選択した所望の発言者の発言だけを再生することができる。さらに、再生時に発言者の識別情報をＬＣＤモニタに表示するので、再生中の発言についての発言者を容易に知ることができる。
【０１０２】
なお、この実施例では、ＰＴＴ通話の音声を記録するようにしたが、ＰＴＴ通話では、音声以外に映像（画像）、音（楽曲）、文字のような他のコンテンツを送受信することが可能である。したがって、音声に変えて、または、音声とともに他のコンテンツを記録し、また、再生（表示）するようにしてもよい。
【０１０３】
また、この実施例では、電子機器として、携帯電話機を用いた場合についてのみ示したが、他の実施例として、ディジタルトランシーバを用いることもできる。
【０１０４】
さらに、この実施例では、ＰＴＴ通話の音声に対応する音声データをＡＡＣ形式でフラッシュメモリに記録するようにしてあるが、これに限定される必要はない。たとえば、ＭＰ３(MPEG Audio Layer-3)やＷＭＡ(Windows Media Audio)などの他の形式で記録されてもよい。たとえば、ＭＰ３の形式で音声データを記録する場合には、ヘッダの容量が比較的大きいため、インデックスファイルをそのヘッダに記録するようにしてもよい。
【０１０５】
さらにまた、この実施例では、ＰＴＴボタンとして発話キーを用いるようにしたが、専用のボタンないしキーを設けるようにしてもよい。
【０１０６】
また、この実施例では、音声データを再生するときには、当該音声データに対応する発言（音声）の発言者に関する識別情報を表示するようにしたが、識別情報のみならず、発話の長さ（終了時刻−開始時刻）または発話の絶対時間或いはその両方を表示するようにしてもよい。
【０１０７】
さらに、この実施例では、説明は省略したが、音声ファイルおよびそれに対応するインデックスファイルは、ＰＴＴ通話毎に生成される。したがって、再生する場合には、再生する音声ファイルを選択するとともに、再生モードを選択することになる。
【０１０８】
さらにまた、この実施例では、識別情報として携帯電話機の電話番号を用いるようにしたため、再生時には、電話番号に対応してアドレス帳や電話帳に登録された名称をＬＣＤモニタに表示するようにした。したがって、たとえば、識別情報として電話番号に相当する情報を用いる場合には、当該電話番号に相当する情報についても、電話番号やこの電話番号に対応してアドレス帳などに登録された名称に対応付けておけば、アドレス帳などに従って名称をＬＣＤモニタに表示することができる。
【符号の説明】
【０１０９】
１０  …携帯電話機（電子機器）
１２  …ＣＰＵ
１４  …ＲＡＭ
１６  …ＲＯＭ
１８  …フラッシュメモリ
２０  …キー入力装置
２２  …ＬＣＤドライバ
２８  …無線通信回路
３２  …マイク
３４  …スピーカ
３８  …時計回路
【図１】
2010232751.tif 000003
【図２】
2010232751.tif 000004
【図３】
2010232751.tif 000005
【図４】
2010232751.tif 000006
【図５】
2010232751.tif 000007
【図６】
2010232751.tif 000008
【図７】
2010232751.tif 000009
【図８】
2010232751.tif 000010
【図９】
2010232751.tif 000011
【図１０】
2010232751.tif 000012
【図１１】
2010232751.tif 000013